(57)【要約】【課題】水跳ねを防止でき、身体に障害のある者を含めてだれでも使い易く、また、洗面ボールに吐しゃ物等の固形物が入った場合でも排水口が詰まるのを防止できる洗面台を提供する。【解決手段】レバー１７ｊを引き上げると、吐水部１７ｈの吐出口１７ｉから水Ｗが放出される。吐水部１７ｈの吐出口１７ｉは覆い部材２１の小穴２１ａが形成された部分に対向しているので、水Ｗは小穴２１ａを通過する。これにより、水Ｗが分散されて水流が弱まる。水流が弱まった状態で下側凹部１７ｄの底面に接触するので、水Ｗの飛び跳ねが抑えられる。しかも、水Ｗの一部が飛び跳ねても、覆い部材２１の小穴２１ａが形成されていない部分に当り、下側凹部１７ｄ外へ飛び出るのを防止できる。【選択図】  図６
2017029358.tif 000002
【特許請求の範囲】
【請求項１】
キャビネットの天板と、前記天板に取り付けられた洗面ボールと、前記洗面ボールに設けられた排水口と、前記洗面ボールの吐出口から吐水する吐水部とを具備する洗面台において、前記洗面ボールは上側凹部と、前記上側凹部の底面に形成された下側凹部とを有し、前記下側凹部の底面に前記排水口が設けられており、前記下側凹部の上面開口を覆う覆い部材が着脱自在に設けられ、前記覆い部材には多数の小穴が形成されていることを特徴とする洗面台。
【請求項２】
請求項１に記載した洗面台において、吐水部の吐出口は覆い部材の多数の小穴が形成された部分に対向していることを特徴とする洗面台。
【請求項３】
請求項１または２に記載した洗面台において、洗面ボールの下面は正面側部分が背面側部分より洗面台の設置面からの距離が大きくなるように設定されていることを特徴とする洗面台。
【請求項４】
請求項１から３のいずれかに記載した洗面台において、天板の正面側部分には人の胴部が入る程度の切欠き部が形成されていることを特徴とする洗面台。
【発明の詳細な説明】
【技術分野】
【０００１】
本発明は洗面台に係り、特に水跳ねを防止できる洗面台に関するものである。
【背景技術】
【０００２】
洗面台を使用する際に、吐水方向によっては比較的激しい水跳ねが生じることになる。例えば、洗面ボールの底面が水平となっている部分に吐水させると、洗面ボールの外にまでかなりの量の水が跳ねてしまうことがある。このような水跳ねを防止しようとするものとして特許文献１に記載された洗面台の水跳ね防止シートがある。この水跳ね防止シートは洗面ボールの左右上方に配置するものである。
【先行技術文献】
【特許文献】
【０００３】
【特許文献１】特開２００２−２７２６２７号公報
【発明の概要】
【発明が解決しようとする課題】
【０００４】
しかしながら、上記従来の洗面台の水跳ね防止シートは洗面ボールの左右上方を覆うように配置するため洗面ボールの使用範囲を狭めることになり、洗面台が使い難くなってしまうという問題がある。特に身体に障害のある者は健常者ほど体を自由に動かすことができないため、相当に使い難い洗面台となってしまうことになる。
また、洗面ボールに吐しゃ物等の固形物が入った場合に、排水口が詰まってしまうおそれがある。
本発明は上記従来の問題点に着目して為されたものであり、水跳ねを防止でき、身体に障害のある者を含めてだれでも使い易く、また、洗面ボールに吐しゃ物等の固形物が入った場合でも排水口が詰まるのを防止できる洗面台の提供を、その目的とする。
【課題を解決するための手段】
【０００５】
本発明は上記課題を解決するためになされたものであり、請求項１の発明は、キャビネットの天板と、前記天板に取り付けられた洗面ボールと、前記洗面ボールに設けられた排水口と、前記洗面ボールの吐出口から吐水する吐水部とを具備する洗面台において、前記洗面ボールは上側凹部と、前記上側凹部の底面に形成された下側凹部とを有し、前記下側凹部の底面に前記排水口が設けられており、前記下側凹部の上面開口を覆う覆い部材が着脱自在に設けられ、前記覆い部材には多数の小穴が形成されていることを特徴とする洗面台である。
【０００６】
請求項２の発明は、請求項１に記載した洗面台において、吐水部の吐出口は覆い部材の多数の小穴が形成された部分に対向していることを特徴とする洗面台である。
【０００７】
請求項３の発明は、請求項１または２に記載した洗面台において、洗面ボールの下面は正面側部分が背面側部分より洗面台の設置面からの距離が大きくなるように設定されていることを特徴とする洗面台である。
【０００８】
請求項４の発明は、請求項１から３のいずれかに記載した洗面台において、天板の正面側部分には人の胴部が入る程度の切欠き部が形成されていることを特徴とする洗面台である。
【発明の効果】
【０００９】
本発明の洗面台によれば、水跳ねを防止することが可能である。しかも、本発明の洗面台は身体に障害のある者を含めてだれでも使い易いものである。
また、洗面ボールに吐しゃ物等の固形物が入った場合でも排水口が詰まるのを防止することができる。
【図面の簡単な説明】
【００１０】
【図１】本発明の実施の形態に係る洗面台の斜視図である。
【図２】図１のＡ−Ａ断面図である。
【図３】図１の洗面台の平面図である。
【図４】図１の洗面台の一部斜視図である。
【図５】図４に示した状態から覆い部材を取り外した状態の図である。
【図６】図１の洗面台の使用方法を説明するための図である。
【図７】図１の洗面台の使用方法を説明するための図である。
【発明を実施するための形態】
【００１１】
本発明の実施の形態に係る洗面台１を図面にしたがって説明する。
符号３はキャビネットを示し、このキャビネット３は、背板５、左右の側板７、９及び仕切り板１１とから成る。
左右の側板７、９は背板５の左右両端に接続され、仕切り板１１は背板５の左右方向の中心位置に備えられて背板５に接続されている。背板５は壁面Ｈに当接して固定されている。
左右の側板７、９、仕切り板１１には、その下端から上端に向かって約三分の二位の高さまで切欠き部７ａ、９ａ、１１ａがそれぞれ形成されている。
【００１２】
左の側板７と仕切り板１１には天板１５が渡設されており、右の側板９と仕切り板１１には天板１３が渡設されている。天板１３、１５の後端面は背板５に接続している。
図２に示すように天板１３は天板１５より高い位置に備えられている。すなわち、天板１３と天板１５が段違いになるように配置されている。
天板１３と天板１５は互いに線対称となる形状を為しているので、天板１３についてのみ説明することとし、天板１５については、１５の後に１３の後に付したアルファベットと同じアルファベットを付して、その説明を省略する。
【００１３】
天板１３の正面側部分には人の胴部の一部が入る程度の切欠き部１３ａが形成され、この切欠き部１３ａはその縁部が滑らかな曲線になっている。また、天板１３の正面側部分には切欠き部１３ａに隣接して膨出部１３ｂが形成され、この膨出部１３ｂはその縁部が滑らかな曲線になっている。また、天板１３には取付け穴１３ｃが形成されており、この取付け穴１３ｃは天板１３の外形に略沿うように凹部と膨出部を有する形状を為している。
【００１４】
天板１３の取付け穴１３ｃには洗面ボール１７が取り付けられ、天板１５の取付け穴１５ｃには、洗面ボール１９が取り付けられている。洗面ボール１７、１９は互いに線対称となる形状を為しているので、洗面ボール１７についてのみ説明することとし、洗面ボール１９については、１９の後に１７の後に付したアルファベットと同じアルファベットを付して、その説明を省略する。
【００１５】
洗面ボール１７は繊維強化プラスチック（以下、ＦＲＰという。）によって構成されている。洗面ボール１７の詳細な構造を説明する。
符号１７ａは上面部を示し、この上面部１７ａは取付け穴１３ｃにぴったり嵌る外形を為しており、その縁には立ち上り部１７ｂが形成されている。この立ち上り部１７ｂは取付け穴１３ｃの内壁に当接している。上面部１７ａには、上側凹部１７ｃが形成されており、この上側凹部１７ｃは上面部１７ａに対応するように平面視において凹部と膨出部を有する形状を為している。
【００１６】
上側凹部１７ｃの底面には下側凹部１７ｄが形成され、この下側凹部１７ｄはキャビネット３の背面寄りに設けられている。下側凹部１７ｄの底面には排水口１７ｅが形成され、この排水口１７ｅは仕切り板１１寄りに設けられている。また、下側凹部１７ｄの上端部には、段部１７ｆが形成されている。
上側凹部１７ｃの背面側の内壁には、オーバーフロー用の排水口１７ｇが形成されている（図５参照）。
【００１７】
また、上面部１７ａには、吐水部１７ｈが設けられ、この吐水部１７ｈは途中部分が下方へ向かって湾曲し吐出口１７ｉが下側凹部１７ｄに対向している。吐出口１７ｉの横にはレバー１７ｊが備えられ、このレバー１７ｊを引き上げると吐出口１７ｉから水が吐出され、引き下げると水が止まるようになっている。
【００１８】
符号２１は覆い部材を示し、この覆い部材２１はステンレススチール製で下側凹部１７ｄに対応するサイズ、形状に形成されている。覆い部材２１はパンチングメタルで多数の小穴２１ａが形成されている。覆い部材２１は、その縁部が段部１７ｆに載り、下側凹部１７ｄの上面開口を覆う。覆い部材２１が下側凹部１７ｄの上面開口を覆った状態で、吐水部１７ｈの吐出口１７ｉは覆い部材２１の小穴２１ａが形成された部分に対向する。
なお、洗面ボール１９の下側凹部１９ｄの上面開口を覆う覆い部材２３は覆い部材２１と線対称となる形状を為しているので、覆い部材２１についてのみ説明することとし、覆い部材２３については、２３の後に２１の後に付したアルファベットと同じアルファベットを付して、その説明を省略する。
【００１９】
洗面ボール１７、１９の下面は正面側部分が背面側部分より洗面台１の設置面Ｓからの距離が大きくなるように設定されている。
【００２０】
次に、この洗面台１の使用方法を説明する。
図６に示すように、レバー１７ｊを引き上げると、吐水部１７ｈの吐出口１７ｉから水Ｗが吐出される。前述のように吐水部１７ｈの吐出口１７ｉは覆い部材２１の小穴２１ａが形成された部分に対向しているので、水Ｗは小穴２１ａを通過する。これにより、水Ｗが分散されて水流が弱まる。水流が弱まった状態で下側凹部１７ｄの底面に接触するので、水Ｗの飛び跳ねが抑えられる。しかも、水Ｗの一部が飛び跳ねても、覆い部材２１の小穴２１ａが形成されていない部分に当り、下側凹部１７ｄ外へ飛び出るのを防止できる。
また、洗面ボール１７に吐しゃ物Ｔ等の固形物が入った場合でも、固形物は小穴２１ａを通過できないので、排水口１７ｅが詰まるのを防止することができる。しかも、吐しゃ物Ｔが覆い部材２１上に残ることで、吐しゃ物Ｔの状態を観察でき、吐しゃ物Ｔを吐いた者の病状等を知ることにも役立つことになる。
【００２１】
また、洗面ボール１７の下面は正面側部分が背面側部分より洗面台１の設置面Ｓからの距離が大きくなるように設定され、しかも天板１３の正面側部分には人の胴部の一部が入る切欠き部１３ａが形成されているので、車椅子Ｋに乗った者が洗面台１を使用する場合に、車椅子Ｋを洗面ボール１７の下側の空間に入れることができる。従って、洗面台１は身体に障害のある者を含めてだれでも使い易いものである。
【００２２】
以上、本発明の実施の形態について詳述してきたが、具体的構成は、この実施の形態に限られるものではなく、本発明の要旨を逸脱しない範囲における設計の変更などがあっても発明に含まれる。
例えば、吐水部は固定されたものを示したが、本発明はこれに限定されず、吐出口が動くタイプのものを用いてもよいのは勿論である。
上記実施の形態では２つの洗面ボールが並んで配置された洗面台を示したが、本発明はこれに限定されず、１つの洗面ボールを備えたもの、または３つの洗面ボールが並んで配置された構成としてもよい。
覆い部材をパンチングメタルによって構成するほか、多数の小穴が形成された板状体であれば、合成樹脂製の板状体等によって構成してもよい。
【産業上の利用可能性】
【００２３】
本発明の洗面台は、特に身体に障害のある者が使用する洗面台の製造業において、産業上の利用可能性を有する。
【符号の説明】
【００２４】
１…洗面台          ３…キャビネット      ５…背板
７…左の側板        ９…右の側板        １１…仕切り板
７ａ、９ａ、１１ａ…切欠き部            １３、１５…天板
１３ｃ、１５ｃ…取付け穴                  １７、１９…洗面ボール
１７ａ、１９ａ…上面部                    １７ｂ、１９ｂ…立ち上り部
１７ｃ、１９ｃ…上側凹部                  １７ｄ、１９ｄ…下側凹部
１７ｅ、１９ｅ…排水口                    １７ｆ、１９ｆ…段部
２１、２３…覆い部材                      ２１ａ、２３ａ…小穴
Ｈ…壁面              Ｗ…水              Ｓ…設置面
Ｋ…車椅子            Ｔ…吐しゃ物
【図１】
2017029358.tif 000003
【図２】
2017029358.tif 000004
【図３】
2017029358.tif 000005
【図４】
2017029358.tif 000006
【図５】
2017029358.tif 000007
【図６】
2017029358.tif 000008
【図７】
2017029358.tif 000009